(57)【要約】【課題】プラグコネクタとリセプタクルコネクタとを含んで構成されるコネクタ装置であって、薄型化されたプラグコネクタの接続嵌合部を、リセプタクル側コンタクトがプラグ側コンタクトに接続されたもとで、安定に保持することができるものを提供する。【解決手段】プラグコネクタ（１１）における接続嵌合部（１７）がリセプタクルコネクタ（３１）に嵌合口部（３３）を通じて差し込まれるもとで、リセプタクル側コンタクトが交互に配された第１及び第２のコンタクトを含み、第１のコンタクト（３４）が有する二つの接点部（４３，４４）が、ハウジング（３２）の嵌合口部（３３）が設けられた正面側端面部からの距離を異ならせたもとで、プラグ側コンタクト（１５）に当接する位置に配され、第２のコンタクトが有する二つの接点部も、ハウジング（３２）の正面側端面部からの距離を異ならせたもとで、プラグ側コンタクトに当接する位置に配される。【選択図】図１２
2011150890.tif 000002
【特許請求の範囲】
【請求項１】
複数のケーブルが連結される複数のプラグ側コンタクトが配列配置された接続嵌合部を備えるプラグコネクタと、
該プラグコネクタの接続嵌合部が差し込まれる嵌合口部が一端面部に設けられたハウジング、及び、該ハウジングに配列配置され、上記嵌合口部を通じて上記ハウジングに差し込まれた上記プラグコネクタの接続嵌合部に配された複数のプラグ側コンタクトに夫々押圧接触する、複数のリセプタクル側コンタクトを備えるリセプタクルコネクタと、
を含んで構成され、
上記複数のリセプタクル側コンタクトが、複数の第１のコンタクトと複数の第２のコンタクトとを含み、
上記複数の第１のコンタクトの夫々が、上記嵌合口部を通じて上記ハウジングに差し込まれた上記プラグコネクタの接続嵌合部を挟み込む第１及び第２の接点部を有し、該第１及び第２の接点部が、上記ハウジングの一端面部から上記第１の接点部までの距離が上記ハウジングの一端面部から上記第２の接点部までの距離より小とされるもとで、上記プラグコネクタの接続嵌合部における相互対向する第１及び第２の面のうちの第１の面側において上記プラグ側コンタクトに上記第１の接点部が当接するとともに上記第１及び第２の面のうちの第２の面側において上記プラグ側コンタクトに上記第２の接点部が当接する位置に配され、上記複数の第２のコンタクトの夫々が、上記嵌合口部を通じて上記ハウジングに差し込まれた上記プラグコネクタの接続嵌合部を挟み込む第３及び第４の接点部を有し、該第３及び第４の接点部が、上記ハウジングの一端面部から上記第３の接点部までの距離が上記ハウジングの一端面部から上記第４の接点部までの距離より大とされるもとで、上記プラグコネクタの接続嵌合部における相互対向する第１及び第２の面のうちの第１の面側において上記プラグ側コンタクトに上記第３の接点部が当接するとともに上記第１及び第２の面のうちの第２の面側において上記プラグ側コンタクトに上記第４の接点部が当接する位置に配されることを特徴とするコネクタ装置。
【請求項２】
上記複数の第１のコンタクトの夫々が、二股状部を成す一対のアーム部を有し、該一対のアーム部に上記第１及び第２の接点部が夫々形成されるとともに、該一対のアーム部のうちの一方に延設された部分に接続端子部が形成され、上記複数の第２のコンタクトの夫々が、二股状部を成す一対のアーム部を有し、該一対のアーム部に上記第３及び第４の接点部が夫々形成されるとともに、該一対のアーム部のうちの一方に延設された部分に接続端子部が形成されることを特徴とする請求項１記載のコネクタ装置。
【請求項３】
上記複数の第１のコンタクトと上記複数の第２のコンタクトとが、上記複数のリセプタクル側コンタクトの配列方向において交互に配されることを特徴とする請求項１記載のコネクタ装置。
【請求項４】
上記複数のプラグ側コンタクトが、該複数のプラグ側コンタクトの配列方向において交互に配される複数の第３のコンタクトと複数の第４のコンタクトとを含み、上記第３のコンタクトの夫々が、上記ケーブルに接続されるケーブル接続部，上記第１のコンタクトの第１及び第２の接点部のうちの一方が押圧接触する第１の受圧接触部、及び、該第１の受圧接触部から折り返して伸び、上記第１のコンタクトの第１及び第２の接点部のうちの他方が押圧接触する第２の受圧接触部を有し、上記第４のコンタクトの夫々が、上記ケーブルに接続されるケーブル接続部，上記第２のコンタクトの第３及び第４の接点部のうちの一方が押圧接触する第３の受圧接触部、及び、該第３の受圧接触部から折り返して伸び、上記第２のコンタクトの第３及び第４の接点部のうちの他方が押圧接触する第４の受圧接触部を有し、上記第３のコンタクトにおける上記第２の受圧接触部の先端部分及び上記第４のコンタクトにおける上記第４の受圧接触部の先端部分が、上記プラグコネクタの接続嵌合部を形成する絶縁部材に囲まれて配されることを特徴とする請求項１記載のコネクタ装置。
【請求項５】
上記第３のコンタクトにおける上記第２の受圧接触部の上記第１の受圧接触部からの折返しの向きと、上記第４のコンタクトにおける上記第４の受圧接触部の上記第３の受圧接触部からの折返しの向きとが、互いに逆向きとされることを特徴とする請求項４記載のコネクタ装置。
【請求項６】
上記の第３のコンタクトにおける上記第１の受圧接触部に、上記第１のコンタクトの第１及び第２の接点部のうちの一方が当接する部位の周囲に凹部が形成され、上記第４のコンタクトにおける上記第３の受圧接触部に、上記第２のコンタクトの第３及び第４の接点部のうちの一方が当接する部位の周囲に凹部が形成されることを特徴とする請求項４記載のコネクタ装置。
【発明の詳細な説明】
【技術分野】
【０００１】
本願の特許請求の範囲に記載された発明は、複数の同軸ケーブル等のケーブルが装着されるプラグコネクタとそのプラグコネクタの接続嵌合部の差込みがなされる嵌合口部が設けられたリセプタクルコネクタとを含んで構成され、プラグコネクタに装着された複数のケーブルをリセプタクルコネクタが取り付けられた配線基板等とされる他の電気部品に電気的に接続された状態とするために使用されるコネクタ装置に関する。
【背景技術】
【０００２】
各種の電気信号や電圧等を伝送する複数の同軸ケーブル等のケーブルが、各々が比較的細いものであり、ケーブル群を形成するように纏められた状態をもって、各種の電気部品が取り付けられる配線基板に電気的に接続されるにあたっては、複数のケーブルの配線基板に対する電気的接続の仲介役を果たすコネクタ装置が用いられることが多い。斯かるコネクタ装置は、例えば、当該複数のケーブルが装着されるプラグコネクタと、配線基板との電気的接続がなされて配され、プラグコネクタの接続嵌合部の差込みがなされる嵌合口部が設けられたリセプタクルコネクタと、を含んで構成される。
【０００３】
このような複数のケーブルの配線基板に対する電気的接続にあたって用いられるコネクタ装置にあっては、プラグコネクタの接続嵌合部に、複数のケーブルに夫々連結される複数のプラグ側コンタクトが配列配置されて設けられ、一方、嵌合口部が設けられたリセプタクルコネクタの嵌合口部の内側に、配線基板に設けられた配線部に連結される複数のリセプタクル側コンタクトが配列配置されて設けられる。そして、プラグコネクタの接続嵌合部がリセプタクルコネクタの嵌合口部からその内部に差し込まれるとき、複数のリセプタクル側コンタクトが、複数のプラグ側コンタクトに夫々押圧接触する状態をもって接続され、それにより、複数のケーブルが、プラグコネクタ及びリセプタクルコネクタを介して、配線基板に設けられた配線部に電気的に接続される。
【０００４】
上述のようにプラグコネクタの接続嵌合部がリセプタクルコネクタの嵌合口部からその内部ヘと差し込まれるコネクタ装置においては、複数のケーブルのより一層の細線化及び配線基板のより一層の小型・軽量化に伴い、その全体の小型・薄型化（低背化）が図られることが望まれている。そのため、プラグコネクタにあっては、特に接続嵌合部についてのできる限りの薄形化が求められ、また、リセプタクルコネクタにあっては、複数のリセプタクル側コンタクトを、薄形化が図られたプラグコネクタの接続嵌合部に設けられた複数のプラグ側コンタクトに確実に接続されるものとし、かつ、その状態を安定に維持できることが求められる。
【０００５】
このようなもとで、従来にあっては、プラグコネクタとリセプタクルコネクタとを含んで構成され、複数のケーブルの配線基板に対する電気的接続に用いられるコネクタ装置であって、プラグコネクタの接続嵌合部に設けられてケーブルに連結されるプラグ側コンタクトが、一対の相互対向接触面部を有するとともに、リセプタクルコネクタに設けられるリセプタクル側コンタクトが、プラグ側コンタクトにおける一対の相互対向接触面部に夫々当接して、プラグ側コンタクトとリセプタクル側コンタクトとを電気的接続状態におく一対の接触部を有するものが提案されている (例えば、特許文献１参照。）。また、プラグコネクタとリセプタクルコネクタとを含んで構成され、複数のケーブルの配線基板に対する電気的接続に用いられるコネクタ装置であって、プラグコネクタの接続嵌合部に設けられるプラグ側コンタクトが、それに接続されるケーブルの芯線に沿って伸びる板状部を有するとともに、リセプタクルコネクタに設けられるリセプタクル側コンタクトが、プラグ側コンタクトの板状部におけるケーブルの芯線が配された面とは反対側の面に当接して、プラグ側コンタクトとリセプタクル側コンタクトとを電気的接続状態におく接点部を有するものも提案されている（例えば、特許文献２参照。）。
【０００６】
特許文献１に示されるコネクタ装置にあっては、プラグコネクタ（プラグ２）の接続嵌合部に配列配置されて設けられる複数のプラグ側コンタクト（雄端子５０）の夫々が、導電性板状部材（上板部５２, 下板部５３）がハウジング（２０）の一部を成す樹脂板状部を介在させて折り重ねられて成る三層構造、もしくは、比較的厚い導電性板状部材に打抜き加工が施されて得られる一体成形構造をとって、一対の相互対向接触面部（上板部５２及び下板部５３の外表面部）を形成している。さらに、リセプタクルコネクタ（レセプタクル６）に配列配置されて設けられる複数のリセプタクル側コンタクト（雌端子８０）の夫々が、三層構造もしくは一体成形構造をとるプラグ側コンタクトにおける一対の相互対向接触面部を挟んで相互対向する状態をとる、一対の接触部（２点接触部８１, ８２）が形成された二股状部を成している。
【０００７】
そして、リセプタクル側コンタクトにおける一対の接触部が、プラグ側コンタクトにおける一対の相互対向接触面部に、それを挟んで相対向する二方向から当接することにより、プラグ側コンタクトとリセプタクル側コンタクトとが電気的接続状態におかれる。
【０００８】
また、特許文献２に示されるコネクタ装置にあっては、プラグコネクタ（ケーブルコネクタ１）の接続嵌合部に配列配置されて設けられる複数のプラグ側コンタクト（ターミナル１２）の夫々が、それに接続されるケーブル（２２）の芯線（２２a ）に沿って伸び、ケーブル（２２）の芯線（２２a ）が半田付けされて接点部（２０）を形成する板状部を有し、その板状部の端部が折り返されて形成される差込先端部（折り曲げ部１８）を備えている。さらに、リセプタクルコネクタ（相手コネクタ３１）に配列配置されて設けられる複数のリセプタクル側コンタクト（ターミナル３３）の夫々が、プラグ側コンタクトの板状部におけるケーブルの芯線が半田付けされた面とは反対側の面に当接する接点部（３６）を有している。
【０００９】
そして、リセプタクル側コンタクトにおける接触部が、プラグ側コンタクトの板状部におけるケーブルの芯線が半田付けされた面とは反対側の面に当接することにより、プラグ側コンタクトとリセプタクル側コンタクトとが電気的接続状態におかれる。
【先行技術文献】
【特許文献】
【００１０】
【特許文献１】特開２００７−７３４２６号公報  （段落００２１〜００２４, ００２７〜００２９, ００３１〜００３５, 図１〜５，９〜１０）
【特許文献２】特開２００５−１５８６７７号公報  （段落００３０〜００３７，００４３, ００５３〜００５４，図１〜５，１０，１１，１７）
【発明の概要】
【発明が解決しようとする課題】
【００１１】
上述のような、従来提案されている、プラグコネクタとリセプタクルコネクタとを含んで構成され、複数のケーブルの配線基板に対する電気的接続に用いられるコネクタ装置であって、プラグコネクタの接続嵌合部に設けられる複数のプラグ側コンタクトの夫々が、導電性板状部材が樹脂板状部を介在させて折り重ねられて成る三層構造をとって一対の相互対向接触面部を形成し，さらに、リセプタクルコネクタに設けられる複数のリセプタクル側コンタクトの夫々が、三層構造もしくは一体成形構造をとるプラグ側コンタクトにおける相互対向接触面部に、それを挟んで相対向する二方向から当接する一対の接触部を有したものにあっては、各リセプタクル側コンタクトの一対の接触部が、三層構造もしくは一体成形構造をとるプラグ側コンタクトにおける相互対向接触面部に、それを挟んで相対向する二方向から当接するにあたり、プラグ側コンタクトの同一個所における相互対向接触面部に相対向する二方向から当接する。
【００１２】
それゆえ、各プラグ側コンタクトにおいては、それにおける一個所に、リセプタクル側コンタクトの一対の接触部による押圧力が集中的に作用することになり、しかもその各プラグ側コンタクトにおける一個所が、複数のプラグ側コンタクトの配列方向に一直線状に整列されることになるので、各リセプタクル側コンタクトの一対の接触部がプラグ側コンタクトに当接接触したもとでのプラグコネクタの接続嵌合部が、その姿勢が安定せず、不所望な変動を生じてしまう虞がある。さらに、各プラグ側コンタクトが三層構造をとるものとされる場合には、プラグ側コンタクトの厚みを十分に小とすることができず、プラグコネクタの接続嵌合部の薄型化を図ることが困難とされてしまい、また、各プラグ側コンタクトが一体成形構造をとるものとされる場合には、比較的厚い導電性板状部材の打抜き加工精度を極めて高いものとすることが要され、それに加えて、プラグコネクタの接続嵌合部において、それを構成する絶縁部材（樹脂部材）とプラグ側コンタクトとの密着性が十分に得られなくなってしまう虞がある。
【００１３】
また、従来提案されている、プラグコネクタとリセプタクルコネクタとを含んで構成され、複数のケーブルの配線基板に対する電気的接続に用いられるコネクタ装置であって、プラグコネクタの接続嵌合部に設けられる複数のプラグ側コンタクトの夫々が、ケーブルの芯線が半田付けされて接点部を形成する板状部を有し、その板状部の端部が折り返されて形成される差込先端部を備えており、さらに、リセプタクルコネクタに設けられる複数のリセプタクル側コンタクトの夫々が、プラグ側コンタクトの板状部におけるケーブルの芯線が半田付けされた面とは反対側の面に当接する接点部を有したものにあっては、プラグ側コンタクトとプラグコネクタのハウジングを形成する絶縁部材（樹脂部材）との相互接触面積が小であることにより、加えて、プラグ側コンタクトがプラグコネクタのハウジングに圧入されることにも起因して、プラグコネクタの接続嵌合部において、それを構成するハウジングの一部を成す絶縁部材とプラグ側コンタクトとの密着性が十分に得られなくなってしまう虞がある。
【００１４】
斯かる点に鑑み、本願の特許請求の範囲に記載された発明は、複数のケーブルの配線基板等とされる電気部品に対する電気的接続に用いられる、複数のケーブルが装着されるプラグコネクタとそのプラグコネクタの接続嵌合部の差込みがなされる嵌合口部が設けられたリセプタクルコネクタとを含んで構成されるコネクタ装置であって、リセプタクルコネクタに設けられる複数のリセプタクル側コンタクトを、プラグコネクタの接続嵌合部が薄型化されたもとにあっても、そのプラグコネクタの接続嵌合部に設けられた複数のプラグ側コンタクトに確実に接続することができるとともに、複数のリセプタクル側コンタクトが複数のプラグ側コンタクトに接続されたもとで、当該プラグコネクタの接続嵌合部を不所望な変動や変形を生じさせることなく安定に保持することができ、しかも、プラグコネクタの接続嵌合部について、それを構成する絶縁部材とプラグ側コンタクトとの相互密着性が十分に得られるもとでの薄形化を図ることができるものを提供する。
【課題を解決するための手段】
【００１５】
本願の特許請求の範囲における請求項１から請求項６までのいずれかに記載された発明（以下、本発明という。）に係るコネクタ装置は、複数のケーブルが連結される複数のプラグ側コンタクトが配列配置された接続嵌合部を備えるプラグコネクタと、プラグコネクタの接続嵌合部が差し込まれる嵌合口部が一端面部に設けられたハウジング、及び、ハウジングに配列配置され、嵌合口部を通じてハウジングに差し込まれたプラグコネクタの接続嵌合部に配された複数のプラグ側コンタクトに夫々押圧接触する、複数のリセプタクル側コンタクトを備えるリセプタクルコネクタとを含んで構成される。そして、複数のリセプタクル側コンタクトが、複数の第１のコンタクトと複数の第２のコンタクトとを含み、複数の第１のコンタクトの夫々が、嵌合口部を通じてハウジングに差し込まれたプラグコネクタの接続嵌合部を挟み込む第１及び第２の接点部を有し、第１及び第２の接点部が、ハウジングの嵌合口部が設けられた一端面部から第１の接点部までの距離が当該一端面部から第２の接点部までの距離より小とされるもとで、プラグコネクタの接続嵌合部における相互対向する第１及び第２の面のうちの第１の面側においてプラグ側コンタクトに第１の接点部が当接するとともに第１及び第２の面のうちの第２の面側においてプラグ側コンタクトに第２の接点部が当接する位置に配され、また、複数の第２のコンタクトの夫々が、嵌合口部を通じてハウジングに差し込まれたプラグコネクタの接続嵌合部を挟み込む第３及び第４の接点部を有し、第３及び第４の接点部が、ハウジングの嵌合口部が設けられた一端面部から第３の接点部までの距離が当該一端面部から第４の接点部までの距離より大とされるもとで、プラグコネクタの接続嵌合部における相互対向する第１及び第２の面のうちの第１の面側においてプラグ側コンタクトに第３の接点部が当接するとともに第１及び第２の面のうちの第２の面側においてプラグ側コンタクトに第４の接点部が当接する位置に配されることを特徴とするものとされる。
【００１６】
上述のような本発明に係るコネクタ装置にあっては、プラグコネクタの接続嵌合部が、リセプタクルコネクタのハウジングに嵌合口部を通じて差し込まれると、リセプタクルコネクタに備えられた複数のリセプタクル側コネクタが、プラグコネクタの接続嵌合部に配された複数のプラグ側コンタクトに、夫々押圧当接する状態がとられる。斯かる押圧当接状態は、複数のリセプタクル側コンタクトが含む複数の第１のコンタクト及び複数の第２のコンタクトのうちの、複数の第１のコンタクトの夫々が有する、プラグコネクタの接続嵌合部を挟み込む第１及び第２の接点部、及び、複数の第２のコンタクトの夫々が有する、プラグコネクタの接続嵌合部を挟み込む第３及び第４の接点部が、各々に対応するプラグ側コンタクトに当接することにより得られる。その際、第１のコンタクトが有する第１及び第２の接点部は、ハウジングの嵌合口部が設けられた一端面部から第１の接点部までの距離が当該一端面部から第２の接点部までの距離より小とされる位置に配されていて、第１の接点部が、プラグコネクタの接続嵌合部における相互対向する第１及び第２の面のうちの第１の面側においてプラグ側コンタクトに当接するとともに、第２の接点部が、当該第１及び第２の面のうちの第２の面側においてプラグ側コンタクトに当接し、また、第２のコンタクトが有する第３及び第４の接点部は、ハウジングの嵌合口部が設けられた一端面部から第３の接点部までの距離が当該一端面部から第４の接点部までの距離より大とされる位置に配されていて、第３の接点部が、プラグコネクタの接続嵌合部における相互対向する第１及び第２の面のうちの第１の面側においてプラグ側コンタクトに当接するとともに、第４の接点部が、当該第１及び第２の面のうちの第２の面側においてプラグ側コンタクトに当接する。
【００１７】
即ち、複数のリセプタクル側コンタクトに含まれる複数の第１のコンタクトが有する第１及び第２の接点部が、プラグコネクタの接続嵌合部におけるそのハウジングに対する差込方向において離隔した２箇所において、プラグ側コンタクトに、プラグコネクタの接続嵌合部における第１の面側及びそれに対向する第２の面側から夫々当接し、また、複数のリセプタクル側コンタクトに含まれる複数の第２のコンタクトが有する第３及び第４の接点部が、プラグコネクタの接続嵌合部におけるそのハウジングに対する差込方向において離隔した２箇所において、プラグ側コンタクトに、プラグコネクタの接続嵌合部における第１の面側及びそれに対向する第２の面側から夫々当接するのである。従って、第１及び第２のコンタクトの夫々は、対応するプラグ側コンタクトに、それにおける相互に離隔した２箇所において相対向する二方向から当接することになる。
【００１８】
特に、本願の特許請求の範囲における請求項３に記載された本発明に係るコネクタ装置にあっては、複数の第１のコンタクトと複数の第２のコンタクトとが、複数のリセプタクル側コンタクトの配列方向において交互に配される。
【００１９】
また、本願の特許請求の範囲における請求項４に記載された本発明に係るコネクタ装置にあっては、複数のプラグ側コンタクトが、それらの配列方向において交互に配される複数の第３のコンタクトと複数の第４のコンタクトとを含み、第３のコンタクトの夫々が、ケーブルに接続されるケーブル接続部，第１のコンタクトの第１及び第２の接点部のうちの一方が押圧接触する第１の受圧接触部、及び、それから折り返して伸び、第１のコンタクトの第１及び第２の接点部のうちの他方が押圧接触する第２の受圧接触部を有し、また、第４のコンタクトの夫々が、ケーブルに接続されるケーブル接続部，第２のコンタクトの第３及び第４の接点部のうちの一方が押圧接触する第３の受圧接触部、及び、それから折り返して伸び、第２のコンタクトの第３及び第４の接点部のうちの他方が押圧接触する第４の受圧接触部を有するものとされ、第３のコンタクトにおける第２の受圧接触部の先端部分及び第４のコンタクトにおける第４の受圧接触部の先端部分が、プラグコネクタの接続嵌合部を形成する絶縁部材に囲まれて配される。
【発明の効果】
【００２０】
本発明に係るコネクタ装置においては、上述のように、複数のリセプタクル側コンタクトに含まれる複数の第１のコンタクト及び複数の第２のコンタクトの夫々は、プラグコネクタの接続嵌合部に配された複数のプラグ側コンタクトのうちの対応するものに、それにおける相互に離隔した２箇所において相対向する二方向から当接する。それにより、プラグコネクタの接続嵌合部に配されたプラグ側コンタクトに当接する第１のコンタクト及び第２のコンタクトの夫々による押圧力が、当該プラグ側コンタクトにおける一個所に集中的に作用する事態が回避され、プラグコネクタの接続嵌合部が薄型化されたもとにあっても、複数のリセプタクル側コンタクトを、当該プラグコネクタの接続嵌合部に設けられた複数のプラグ側コンタクトに夫々確実に接続させることができるとともに、複数のリセプタクル側コンタクトが複数のプラグ側コンタクトに接続されたもとで、当該プラグコネクタの接続嵌合部を不所望な変動や変形を生じさせることなく安定に保持することができる。
【００２１】
特に、本願の特許請求の範囲における請求項３に記載された本発明に係るコネクタ装置においては、複数の第１のコンタクトと複数の第２のコンタクトとが、複数のリセプタクル側コンタクトの配列方向において交互に配されるので、複数のリセプタクル側コンタクトを、当該プラグコネクタの接続嵌合部に設けられた複数のプラグ側コンタクトに夫々確実に接続させることができるとともに、複数のリセプタクル側コンタクトが複数のプラグ側コンタクトに接続されたもとで、当該プラグコネクタの接続嵌合部を不所望な変動や変形を生じさせることなく安定に保持することができる状態が、より一層効果的に得られる。
【００２２】
また、本願の特許請求の範囲における請求項４に記載された本発明に係るコネクタ装置においては、プラグコネクタの接続嵌合部に配される複数のプラグ側コンタクトが、それらの配列方向において交互に配される複数の第３のコンタクトと複数の第４のコンタクトとを含み、第３のコンタクトの夫々が、第１のコンタクトの第１及び第２の接点部のうちの一方が押圧当接する第１の受圧接触部とそれから折り返して伸びて第１のコンタクトの第１及び第２の接点部のうちの他方が押圧当接する第２の受圧接触部とを有するものとされるとともに、第４のコンタクトの夫々が、第２のコンタクトの第３及び第４の接点部のうちの一方が押圧当接する第３の受圧接触部とそれから折り返して伸びて第２のコンタクトの第３及び第４の接点部のうちの他方が押圧当接する第４の受圧接触部とを有するものとされ、それに加えて、第３のコンタクトにおける第２の受圧接触部の先端部分及び第４のコンタクトにおける第４の受圧接触部の先端部分が、プラグコネクタの接続嵌合部を形成する絶縁部材に囲まれて配されるので、プラグコネクタの接続嵌合部について、それを構成する絶縁部材とプラグ側コンタクトとの相互密着性が十分に得られるもとで、その薄形化を効果的に図ることができる。
【図面の簡単な説明】
【００２３】
【図１】本発明に係るコネクタ装置の一例を構成するプラグコネクタをそれに装着された複数の同軸ケーブルと共に示す上面側から見た斜視図である。
【図２】本発明に係るコネクタ装置の一例を構成するプラグコネクタをそれに装着された複数の同軸ケーブルと共に示す下面側から見た斜視図である。
【図３】本発明に係るコネクタ装置の一例を構成するプラグコネクタをそれに装着された複数の同軸ケーブルと共に示す平面図である。
【図４】図３におけるIV−IV線断面を示す断面図である。
【図５】図３における V−V 線断面を示す断面図である。
【図６】本発明に係るコネクタ装置の一例を構成するリセプタクルコネクタを示す正面側から見た斜視図である。
【図７】本発明に係るコネクタ装置の一例を構成するリセプタクルコネクタを示す背面側から見た斜視図である。
【図８】本発明に係るコネクタ装置の一例を構成するリセプタクルコネクタを示す平面図である。
【図９】本発明に係るコネクタ装置の一例を構成するリセプタクルコネクタを示す正面図である。
【図１０】図８における X−X 線断面を示す断面図である。
【図１１】図８におけるXI−XI線断面を示す断面図である。
【図１２】本発明に係るコネクタ装置の一例を構成するプラグコネクタとリセプタクルコネクタとの相互嵌合状態をプラグコネクタに装着された同軸ケーブルと共に示す断面図である。
【図１３】本発明に係るコネクタ装置の一例を構成するプラグコネクタとリセプタクルコネクタとの相互嵌合状態をプラグコネクタに装着された同軸ケーブルと共に示す断面図である。
【発明を実施するための形態】
【００２４】
本発明を実施するための形態は、以下に述べられる本発明についての実施例をもって説明される。
【実施例】
【００２５】
図１（上面側から見た斜視図），図２（下面側から見た斜視図）及び図３（平面図）は、本発明に係るコネクタ装置の一例を構成するプラグコネクタをそれに装着された複数の同軸ケーブルと共に示す。
【００２６】
図１，図２及び図３には、本発明に係るコネクタ装置の一例を構成するプラグコネクタ１１が、それに装着された複数の同軸ケーブル１２と共に示されている。なお、プラグコネクタ１１について、便宜上、平面図である図３に示される面を上面と呼び、それに対向する面を下面と呼ぶこととする。
【００２７】
プラグコネクタ１１は、合成樹脂等の絶縁材料によって形成されたハウジング１３を備えており、ハウジング１３には、その長手方向（プラグコネクタ１１の長手方向（左右方向））に沿って、各々が導電材料で形成された複数のコンタクト１５と複数のコンタクト１６とが交互に配列配置されて設けられている。これらのコンタクト１５及びコンタクト１６は、全体で、複数のプラグ側コンタクトを形成している。即ち、ハウジング１３に配列配置された複数のプラグ側コンタクトが、複数のコンタクト１５と複数のコンタクト１６とを含むものとされているのである。そして、複数のコンタクト１５と複数のコンタクト１６とを含んだ複数のプラグ側コンタクトには、複数の同軸ケーブル１２が夫々連結されている。
【００２８】
ハウジング１３における複数のコンタクト１５と複数のコンタクト１６とを含んだ複数のプラグ側コンタクトが配列配置された部分１３ａは、ハウジング１３の長手方向に伸びる板状部とされていて、接続嵌合部１７を形成している。接続嵌合部１７は、プラグコネクタ１１と共に本発明に係るコネクタ装置の一例を構成する、後述されるリセプタクルコネクタのハウジングに、それに設けられた嵌合口部を通じて差し込まれ、それにより、プラグコネクタ１１とリセプタクルコネクタとの相互嵌合状態がとられる。
【００２９】
複数のプラグ側コンタクトにおける複数の同軸ケーブル１２が夫々連結された部分は、導電材料で形成されたプラグ側導電カバー１８によって覆われている。そして、プラグ側導電カバー１８には、その長手方向（プラグコネクタ１１の長手方向（左右方向））における両端部に、リセプタクルコネクタとの相互嵌合状態におかれたプラグコネクタ１１がリセプタクルコネクタから抜去される際に抜去用手掛り部とされる一対の突出部１８ａが形成されている。
【００３０】
図３におけるIV−IV線断面を示す断面図である図４に示されるように、プラグコネクタ１１に装着される複数の同軸ケーブル１２の夫々は、中心導体（信号導体）２０と、中心導体２０を包囲する絶縁層２１の外側に絶縁層２１を包囲して配された外側導体（接地導体）２２と、外側導体２２を包囲する絶縁被覆２３とを有している。さらに、接続嵌合部１７を形成するハウジング１３の部分１３ａに配された複数のコンタクト１５の夫々は、同軸ケーブル１２の中心導体２０に接続されるケーブル接続部２５と、ケーブル接続部２５に連なり、ハウジング１３の部分１３ａにおけるプラグコネクタ１１の上面側に配される受圧接触部２６と、受圧接触部２６からプラグコネクタ１１の下面側に密着した状態で折り返して伸びる受圧接触部２７とを有している。
【００３１】
コンタクト１５における受圧接触部２６には、後述されるリセプタクルコネクタのコンタクトが当接接触することになる凹部２６ａが形成されている。また、コンタクト１５における受圧接触部２６が配されたハウジング１３の部分１３ａには、受圧接触部２６に形成された凹部２６ａに対応する部位に、透孔１４が形成されている。この透孔１４は、複数のコンタクト１５をハウジング１３に対してインサート成形により配するにあたり、各コンタクト１５を位置決めするためのピンが通る孔であり、受圧接触部２６に形成された凹部２６ａに対応する部位に形成されるものとされることにより、各コンタクト１５の位置決めが適正に行われる。
【００３２】
また、図３における V−V 線断面を示す断面図である図５に示されるように、接続嵌合部１７を形成するハウジング１３の部分１３ａに配された複数のコンタクト１６の夫々は、同軸ケーブル１２の中心導体２０に接続されるケーブル接続部２８と、ケーブル接続部２８に連なり、ハウジング１３の部分１３ａにおけるプラグコネクタ１１の下面側に配される受圧接触部２９と、受圧接触部２９からプラグコネクタ１１の上面側に密着した状態で折り返して伸びる受圧接触部３０とを有している。
【００３３】
コンタクト１６における受圧接触部２９には、後述されるリセプタクルコネクタのコンタクトが当接接触することになる凹部２９ａが形成されている。また、コンタクト１６における受圧接触部２９が配されたハウジング１３の部分１３ａには、受圧接触部２９に形成された凹部２９ａに対応する部位に、透孔１４が形成されている。この透孔１４は、複数のコンタクト１６をハウジング１３に対してインサート成形により配するにあたり、各コンタクト１６を位置決めするためのピンが通る孔であり、受圧接触部２９に形成された凹部２９ａに対応する部位に形成されるものとされることにより、各コンタクト１６の位置決めが適正に行われる。
【００３４】
なお、中心導体２０にコンタクト１５のケーブル接続部２５またはコンタクト１６のケーブル接続部２８が接続される複数の同軸ケーブル１２の夫々の外側導体２２は、一対のグラウンドバー２４を介してプラグ側導電カバー１８に接続される。
【００３５】
上述のように構成されるプラグコネクタ１１の接続嵌合部１７は、上下方向において相互対向する二つの面である上面と下面とを有していて、上面に、複数のコンタクト１５の夫々における受圧接触部２６と複数のコンタクト１６の夫々における受圧接触部３０とが配されているとともに、下面に複数のコンタクト１５の夫々における受圧接触部２７と複数のコンタクト１６の夫々における受圧接触部２９とが配されていることになる。
【００３６】
そして、複数のコンタクト１５と複数のコンタクト１６とが交互に配列配置される接続嵌合部１７において、複数のコンタクト１５の夫々が上面側から下面側へと折り返すものとされ、複数のコンタクト１６の夫々が下面側から上面側へと折り返すものとされているので、接続嵌合部１７における上面側と下面側とにおいて、ハウジング１３の部分１３ａを形成する合成樹脂等の絶縁材料により形成される面がバランスよく配されることになり、接続嵌合部１７が、適正に成形されていて、成形後における歪み等を生じ難いものとされていることになる。
【００３７】
図６（正面側から見た斜視図），図７（背面側から見た斜視図），図８（平面図）及び図９（正面図）は、本発明に係るコネクタ装置の一例を構成するリセプタクルコネクタを示す。
【００３８】
図６，図７，図８及び図９には、本発明に係るコネクタ装置の一例を構成するリセプタクルコネクタ３１が示されており、図９は、リセプタクルコネクタ３１の正面を示している。以下においては、図９に示されるリセプタクルコネクタ３１の正面の反対側を背面とし、また、図９に示されるリセプタクルコネクタ３１の正面に向かって上側，下側，左側及び右側を、夫々、上，下，左及び右とする。
【００３９】
図６〜図９に示されるリセプタクルコネクタ３１は、合成樹脂等の絶縁材料によって形成されたハウジング３２を備えている。ハウジング３２には、正面側端面部に、前述のプラグコネクタ１１の接続嵌合部１７が差し込まれる嵌合口部３３が設けられており、嵌合口部３３からハウジング３２の内部へと接続嵌合部収容空間が伸びている。ハウジング３２は、例えば、図示されていない配線基板に配され、それにより、リセプタクルコネクタ３１の全体が配線基板に取り付けられたものとされる。
【００４０】
ハウジング３２には、その長手方向（リセプタクルコネクタ３１の長手方向（左右方向））に沿って、各々が導電材料で形成された複数のコンタクト３４と複数のコンタクト３５とが交互に配列配置されて設けられている。これらのコンタクト３４及びコンタクト３５は、全体で、複数のリセプタクル側コンタクトを形成している。即ち、ハウジング３２に配列配置された複数のリセプタクル側コンタクトが、複数のコンタクト３４と複数のコンタクト３５とを含むものとされているのである。
【００４１】
複数のコンタクト３４と複数のコンタクト３５とを含んだ複数のリセプタクル側コンタクトは、プラグコネクタ１１の接続嵌合部１７がハウジング３２に設けられた嵌合口部３３を通じてハウジング３２に差し込まれるとき、ハウジング３２に差し込まれたプラグコネクタ１１の接続嵌合部１７における複数のプラグ側コンタクトに夫々押圧接触する。その際、複数のリセプタクル側コンタクトに含まれる複数のコンタクト３４が、複数のプラグ側コンタクトに含まれる複数のコンタクト１５に夫々押圧接触するとともに、複数のリセプタクル側コンタクトに含まれる複数のコンタクト３５が、複数のプラグ側コンタクトに含まれる複数のコンタクト１６に夫々押圧接触する。それにより、ハウジング３２に差し込まれたプラグコネクタ１１の接続嵌合部１７における複数のプラグ側コンタクトが、複数のリセプタクル側コンタクトを介して、リセプタクルコネクタ３１が配された配線基板に設けられた信号端子部に連結される。
【００４２】
また、リセプタクルコネクタ３１は、ハウジング３２の正面側端面部における嵌合口部３３の周囲部分，背面側端面部及びその近傍の部分，左右方向の両側面部の一部分及び下面部の一部分とを除いた残りの部分を覆う導電性シェル３６を備えている。即ち、導電性シェル３６は、ハウジング３２を部分的に覆っているのである。この導電性シェル３６は、金属板が加工成形されて構成されており、例えば、複数のリセプタクル側コンタクトについての特性インピーダンス調整に貢献するため、さらには、リセプタクルコネクタ３１についての外部からの電磁波ノイズ対策のため、即ち、リセプタクルコネクタ３１における外部からの電磁波ノイズに対するシールド効果を得るためのものとして、備えられている。
【００４３】
導電性シェル３６には、その長手方向（リセプタクルコネクタ３１の長手方向（左右方向））における両端部に、複数の基板取付部３７が設けられている。これらの基板取付部３７は、リセプタクルコネクタ３１の全体が配線基板に取り付けられるとき、当該配線基板に、例えば、半田付けにより固着される。また、導電性シェル３６には、複数のグラウンド接続部３８も設けられており、これらのグラウンド接続部３８も、リセプタクルコネクタ３１の全体が配線基板に取り付けられるとき、当該配線基板におけるグラウンド用回路に接続される。
【００４４】
図８における X−X 線断面を示す図１０に示されるように、複数のリセプタクル側コンタクトに含まれる複数のコンタクト３４の夫々は、二股状部を成す一対の上アーム部４１及び下アーム部４２を有している。上アーム部４１には、その先端部分に接点部４３が形成されており、また、下アーム部４２には、その中間部分に接点部４４が形成されているとともに、接点部４４を挟む両端部分に接続端子部４５とハウジング３２により保持され係止部４６とが夫々形成されている。
【００４５】
このようなもとで、ハウジング３２における嵌合口部３３が設けられた正面側端面部（図１０においては符号：３２ａが付されて示されている。）から接点部４３までの距離Ｌ１が、ハウジング３２における嵌合口部３３が設けられた正面側端面部３２ａから接点部４4 までの距離Ｌ2 より小とされている。即ち、上アーム部４１の先端部分に形成された接点部４３より、下アーム部４２の中間部分に形成された接点部４４の方が、ハウジング３２における嵌合口部３３が設けられた正面側端面部３２ａから遠い位置に配されているのである。
【００４６】
斯かる複数のコンタクト３４の夫々は、例えば、弾性を有した導電性板状部材に打抜き加工が施されて形成される。そして、上アーム部４１の弾性変形許容量は下アーム部４２の弾性変形許容量より大とされていて、それにより、接点部４３の弾性変位量が接点部４４の弾性変位量より大とされている。また、下アーム部４２の一端部分に形成された接続端子部４５は、リセプタクルコネクタ３１の全体が配線基板に取り付けられるとき、当該配線基板における端子部に、例えば、半田付けされて電気的に接続される。
【００４７】
また、図８におけるXI−XI線断面を示す図１１に示されるように、複数のリセプタクル側コンタクトに含まれる複数のコンタクト３５の夫々も、二股状部を成す一対の上アーム部４７及び下アーム部４８を有している。上アーム部４７には、その先端部分に接点部４９が形成されており、また、下アーム部４８には、その両端部分に接点部５０と接続端子部５１とが夫々形成されているとともに、中間部分にハウジング３２により保持される係止部５２が形成されている。
【００４８】
このようなもとで、ハウジング３２における嵌合口部３３が設けられた正面側端面部（図１１においても符号：３２ａが付されて示されている。）から接点部４９までの距離Ｌ３が、ハウジング３２における嵌合口部３３が設けられた正面側端面部３２ａから接点部５０までの距離Ｌ４より大とされている。即ち、上アーム部４７の先端部分に形成された接点部４９の方が、下アーム部４８の一端部分に形成された接点部５０より、ハウジング３２における嵌合口部３３が設けられた正面側端面部３２ａから遠い位置に配されているのである。
【００４９】
斯かる複数のコンタクト３５の夫々も、例えば、弾性を有した導電性板状部材に打抜き加工が施されて形成される。そして、下アーム部４８の弾性変形許容量は上アーム部４７の弾性変形許容量より大とされていて、それにより、接点部５０の弾性変位量が接点部４９の弾性変位量より大とされている。また、下アーム部４８の他端部分に形成された接続端子部５１は、リセプタクルコネクタ３１の全体が配線基板に取り付けられるとき、当該配線基板における端子部に、例えば、半田付けされて電気的に接続される。
【００５０】
図１２及び図１３は、プラグコネクタ１１の接続嵌合部１７が、リセプタクルコネクタ３１のハウジング３２に設けられた嵌合口部３３を通じてハウジング３２に差し込まれ、プラグコネクタ１１とリセプタクルコネクタ３１とが相互嵌合状態におかれた、本発明に係るコネクタ装置の一例を示す。
【００５１】
プラグコネクタ１１の接続嵌合部１７がリセプタクルコネクタ３１のハウジング３２に設けられた嵌合口部３３を通じてハウジング３２に差し込まれたもとにあっては、図１２に示されるように、プラグコネクタ１１の接続嵌合部１７が、リセプタクルコネクタ３１における複数のコンタクト３４の夫々が有する二股状部を成す一対の上アーム部４１及び下アーム部４２によって挟まれる状態におかれる。
【００５２】
そして、プラグコネクタ１１の接続嵌合部１７の上面側において、複数のコンタクト１５の夫々の受圧接触部２６に、それに形成された凹部２６ａの部位において、対応するコンタクト３４における上アーム部４１に形成された接点部４３が押圧当接するとともに、プラグコネクタ１１の接続嵌合部１７の下面側において、複数のコンタクト１５の夫々における受圧接触部２７に、対応するコンタクト３４における下アーム部４２に形成された接点部４４が押圧当接する。その際、各コンタクト１５について、接続嵌合部１７の上面側において接点部４３が受圧接触部２６に押圧当接する位置、即ち、受圧接触部２６に形成された凹部２６ａ内の位置と、接続嵌合部１７の下面側において接点部４４が受圧接触部２７に押圧当接する位置とは、コンタクト１５が伸びる方向において互いに離隔している。
【００５３】
それにより、各コンタクト１５において、接点部４３が接続嵌合部１７の上面側から押圧力を及ぼす部位と接点部４４が接続嵌合部１７の下面側から押圧力を及ぼす部位とが相互に離隔していることになり、その結果、各コンタクト１５に当接するコンタクト３４による押圧力が、当該コンタクト１５における一個所に集中的に作用する事態が回避される。
【００５４】
また、プラグコネクタ１１の接続嵌合部１７がリセプタクルコネクタ３１のハウジング３２に設けられた嵌合口部３３を通じてハウジング３２に差し込まれたもとにあっては、図１３に示されるように、プラグコネクタ１１の接続嵌合部１７が、リセプタクルコネクタ３１における複数のコンタクト３５の夫々が有する二股状部を成す一対の上アーム部４７及び下アーム部４８によっても挟まれる状態におかれる。
【００５５】
そして、プラグコネクタ１１の接続嵌合部１７の下面側において、複数のコンタクト１６の夫々の受圧接触部２９に、それに形成された凹部２９ａの部位において、対応するコンタクト３５における下アーム部４８に形成された接点部５０が押圧当接するとともに、プラグコネクタ１１の接続嵌合部１７の上面側において、複数のコンタクト１６の夫々における受圧接触部３０に、対応するコンタクト３５における上アーム部４７に形成された接点部４９が押圧当接する。その際、各コンタクト１６について、接続嵌合部１７の下面側において接点部５０が受圧接触部２９に当接する位置、即ち、受圧接触部２９に形成された凹部２９ａ内の位置と、接続嵌合部１７の上面側において接点部４９が受圧接触部３０に当接する位置とは、コンタクト１６が伸びる方向において互いに離隔している。
【００５６】
それにより、各コンタクト１６において、接点部５０が接続嵌合部１７の下面側から押圧力を及ぼす部位と接点部４９が接続嵌合部１７の上面側から押圧力を及ぼす部位とが相互に離隔していることになり、その結果、各コンタクト１６に当接するコンタクト３５による押圧力が、当該コンタクト１６における一個所に集中的に作用する事態が回避される。
【００５７】
また、コンタクト３４において、接続嵌合部１７に上面側から押圧力を作用させる接点部４３の弾性変位量が、接続嵌合部１７に下面側から押圧力を作用させる接点部４４の弾性変位量より大とされており、コンタクト３５において、接続嵌合部１７に下面側から押圧力を作用させる接点部５０の弾性変位量が、接続嵌合部１７に上面側から押圧力を作用させる接点部４９の弾性変位量より大とされていることにより、接続嵌合部１７が上面側から受けるコンタクト３４及び３５による押圧力と、接続嵌合部１７が下面側から受けるコンタクト３４及び３５による押圧力とが、均衡することになる。
【００５８】
上述のように、本発明に係るコネクタ装置の一例にあっては、各コンタクト１５にそれに対応するコンタクト３４が押圧当接するとともに、各コンタクト１６にそれに対応するコンタクト３５が押圧当接する際に、各コンタクト１５に当接するコンタクト３４による押圧力が、当該コンタクト１５における一個所に集中的に作用する事態が回避されるとともに、各コンタクト１６に当接するコンタクト３５による押圧力が、当該コンタクト１６における一個所に集中的に作用する事態が回避されることにより、プラグコネクタ１１の接続嵌合部１７が薄型化されたもとにあっても、複数のコンタクト３４及び３５を、当該プラグコネクタ１１の接続嵌合部１７に設けられた複数のコンタクト１５及び１６に夫々確実に接続させることができるとともに、複数のコンタクト３４及び３５が複数のコンタクト１５及び１６に接続されたもとで、当該プラグコネクタ１１の接続嵌合部１７を不所望な変動や変形を生じさせることなく安定に保持することができる。
【００５９】
特に、プラグコネクタ１１の接続嵌合部１７において、複数のコンタクト１５と複数のコンタクト１６とが交互に配列配置されており、それに対応して、リセプタクルコネクタ３１において、複数のコンタクト３４と複数のコンタクト３５とが交互に配列配置されていることにより、複数のコンタクト３４及び３５を、当該プラグコネクタ１１の接続嵌合部１７に設けられた複数のコンタクト１５及び１６に夫々確実に接続させることができるとともに、複数のコンタクト３４及び３５が複数のコンタクト１５及び１６に接続されたもとで、当該プラグコネクタ１１の接続嵌合部１７を不所望な変動や変形を生じさせることなく安定に保持することができる状態が、より一層効果的に得られる。
【００６０】
また、プラグコネクタ１１の接続嵌合部１7 に配される複数のプラグ側コンタクトが、それらの配列方向において交互に配される複数のコンタクト１５と複数のコンタクト１６とを含み、複数のコンタクト１５の夫々が、それに対応するリセプタクルコネクタ３１におけるコンタクト３４が有する接点部４３が押圧当接する受圧接触部２６と、それから折り返して伸びてコンタクト３４の接点部４４が押圧当接する受圧接触部２７とを有するものとされるとともに、複数のコンタクト１６の夫々が、それに対応するリセプタクルコネクタ３１におけるコンタクト３５が有する接点部５０が押圧当接する受圧接触部２９と、それから折り返して伸びてコンタクト３５の接点部４９が押圧当接する受圧接触部３０とを有するものとされ、それに加えて、コンタクト１５における受圧接触部２６の先端部分及びコンタクト１６における受圧接触部２９の先端部分が、プラグコネクタ１１の接続嵌合部１７を形成する絶縁部材に囲まれて配されるので、プラグコネクタ１１の接続嵌合部１７について、それを構成する絶縁部材とプラグ側コンタクトとの相互密着性が十分に得られるもとで、その薄形化を効果的に図ることができることになる。
【００６１】
さらに、各コンタクト１５にそれに対応するコンタクト３４が押圧当接するとともに、各コンタクト１６にそれに対応するコンタクト３５が押圧当接するにあたり、コンタクト３４が有する上アーム４１に形成された接点部４３が、コンタクト１５の受圧接触部２６に、それに形成された凹部２６ａにおいて押圧当接し、また、コンタクト３５が有する下アーム４８に形成された接点部５０が、コンタクト１６の受圧接触部２９に、それに形成された凹部２９ａにおいて押圧当接するので、プラグコネクタ１１の接続嵌合部１７がリセプタクルコネクタ３１のハウジング３２に嵌合口部３３を通じて差し込まれるに際してのクリック感が得られ、また、プラグコネクタ１１の接続嵌合部１７がリセプタクルコネクタ３１のハウジング３２から抜き出されるに際しての抵抗感が得られる。
【産業上の利用可能性】
【００６２】
以上のような本発明に係るコネクタ装置は、複数のケーブルが装着されるプラグコネクタとそのプラグコネクタの接続嵌合部の差込みがなされる嵌合口部が設けられたリセプタクルコネクタとを含んで構成されるコネクタ装置であって、リセプタクルコネクタに設けられる複数のリセプタクル側コンタクトを、プラグコネクタの接続嵌合部が薄型化されたもとにあっても、そのプラグコネクタの接続嵌合部に設けられた複数のプラグ側コンタクトに確実に接続することができるとともに、複数のリセプタクル側コンタクトが複数のプラグ側コンタクトに接続されたもとで、当該プラグコネクタの接続嵌合部を不所望な変動や変形を生じさせることなく安定に保持することができ、しかも、プラグコネクタの接続嵌合部について、それを構成する絶縁部材とプラグ側コンタクトとの相互密着性が十分に得られるもとでの薄形化を図ることができるものとして、様々な電子機器等に広く適用され得るものである。
【符号の説明】
【００６３】
１１・・・プラグコネクタ，    １２・・・同軸ケーブル，  １３，３２・・・ハウジング，  １３ａ・・・ハウジング１３の部分，  １４・・・透孔，  １５，１６，３４，３５・・・コンタクト，  １７・・・接続嵌合部，  １８・・・プラグ側導電カバー，  ２０・・・中心導体（信号導体），  ２１・・・絶縁層，  ２２・・・外側導体（接地導体），  ２３・・・絶縁被覆，  ２４・・・グラウンドバー，  ２５，２８・・・ケーブル接続部，  ２６，２７，２９，３０・・・受圧接触部，  ２６ａ，２９ａ・・・凹部，  ３１・・・リセプタクルコネクタ，  ３２ａ・・・正面側端面部，  ３３・・・嵌合口部，  ３６・・・導電性シェル，  ３７・・・基板取付部，  ４１，４７・・・上アーム部，  ４２，４８・・・下アーム部，  ４３，４４，４９，５０・・・接点部，  ４５，５１・・・接続端子部，  ４６，５２・・・係止部
【図１】
2011150890.tif 000003
【図２】
2011150890.tif 000004
【図３】
2011150890.tif 000005
【図４】
2011150890.tif 000006
【図５】
2011150890.tif 000007
【図６】
2011150890.tif 000008
【図７】
2011150890.tif 000009
【図８】
2011150890.tif 000010
【図９】
2011150890.tif 000011
【図１０】
2011150890.tif 000012
【図１１】
2011150890.tif 000013
【図１２】
2011150890.tif 000014
【図１３】
2011150890.tif 000015